(57)【要約】ヒトまたは動物の患者の体内管路の外在長を囲繞および係合するための、腹壁を通した経皮的移植用の移植片（１；２０）である。移植片は、周縁外壁（２’）によって画定され、少なくともその一部が着脱式デバイスの搭載のための自由端（５）を伴って腹壁から外側に突出するように適合される、外側管状区画（２）と、周縁内壁（３’）によって画定され、移植片の内固定のために腹壁を通してかつ患者内に延在するように適合される、内側区画（３）とを備え、外側管状区画と内側区画とは共通軸Ａを有する。外側管状区画の周縁外壁と内側区画の周縁内壁とは、互いから間隔Ｄを空けて軸方向に離間するように配列され、外側管状区画と内側区画との対向する自由端（７；８）の間に軸方向間隙（１８）を提供し、外側管状区画と内側区画とは区画（２，３）の内部に延在する間隔手段（１０；２１）によって接続される。
2010536448.tif 000002
【特許請求の範囲】
【請求項１】
ヒトまたは動物の患者の体内管路の外在長を囲繞および係合する、腹壁を通した経皮的移植のための移植片（１；２０）であって、該移植片（１；２０）は、
周縁外壁（２’）によって画定される外側管状区画（２）であって、少なくともその一部は、着脱式デバイスの搭載のための役割を果たす自由端（５）を伴って該腹壁から外側に突出するように適合される、外側管状区画（２）と、
周縁内壁（３’）によって画定される内側区画（３）であって、該移植片（１；２０）の内部固定のために、該腹壁を通してかつ該患者の中に延在するように適合される、内側区画（３）と
を備える種類のものであり、該外側管状区画（２）と該内側区画（３）とは共通軸Ａを有しており、
該外側管状区画（２）の該周縁外壁（２’）と該内側区画（３）の該周縁内壁（３’）とは、互いから間隔Ｄを空けて軸方向に離間して配列されて、該外側管状区画（２）と該内側区画（３）との対向する自由端（７；８）の間に軸方向間隙（１８）を提供し、該外側管状区画（２）と該内側区画（３）とは、該区画（２、３）の内部に延在する間隔手段（１０；２１）によって接続されることを特徴とする、移植片（１；２０）。
【請求項２】
前記間隔手段は、剛性内部成長メッシュ（１０）を備え、好ましくは、単に剛性内部成長メッシュ（１０）であることを特徴とする、請求項１に記載の移植片（１）。
【請求項３】
前記剛性内部成長メッシュ（１０）は、少なくとも、前記外側管状区画（２）と前記内側区画（３）との間の間隔の長さＬを有する管状体として形成されることを特徴とする、請求項２に記載の移植片（１）。
【請求項４】
前記外側管状区画（２）および前記内側区画（３）のうちのいずれかは、該外側管状区画（３）、該内側区画（２）、または前記間隔手段（１０；２１）の内部周縁のうちのいずれかの少なくとも一部に沿って、少なくとも前記体内管路壁の外側表面の内部成長のための剛性内部成長メッシュ（１０）を備えることを特徴とする、請求項１、２、または３のいずれか一項に記載の移植片（１；２０）。
【請求項５】
前記移植片（１；２０）は、前記間隔手段（１０；２１）と、前記外側管状区画（２）および前記内側区画（３）のうちのいずれかの内面（１７；１９）との間に、周縁半径方向間隙（１６）を有することを特徴とする、請求項１−４のいずれか一項に記載の移植片（１；２０）。
【請求項６】
前記間隔手段（２１）は、周縁半径方向間隙（１６）を提供するように配列される、周縁方向に離間した組み立て部材（２１）であることを特徴とする、請求項１−４のいずれか一項に記載の移植片（１；２０）。
【請求項７】
前記内側区画（２）は、前記移植片（１；２０）を体内に係留するための係留フランジ（４）の中に延在し、該係留フランジ（４）は、前記外側管状区画（３）に対向する該内側区画（２）から半径方向に延在することを特徴とする、請求項１−６のいずれか一項に記載の移植片（１；２０）。
【請求項８】
前記内側区画（３）および前記係留フランジ（４）のうちのいずれかは、同一または異なる寸法、あるいは組み合わせの寸法の複数の貫通開口（１５）を備えることを特徴とする、請求項７に記載の移植片（１；２０）。
【請求項９】
前記剛性内部成長メッシュ（１０）は、好ましくは、多角形断面、最も好ましくは、六角形断面の複数の通路、チャネル、または開口（１１）を有することを特徴とする、請求項２−８のいずれか一項に記載の移植片（１；２０）。
【請求項１０】
前記剛性内部成長メッシュ（１０）の前記複数の通路、チャネル、または開口（１１）は、レーザ切断によって生成されることを特徴とする、請求項９に記載の移植片（１；２０）。
【請求項１１】
前記剛性内部成長メッシュ（１０）の前記複数の通路、チャネル、または開口（１１）のレーザ切断縁は、実質的に９０°であることを特徴とする、請求項１０に記載の移植片（１；２０）。
【請求項１２】
前記内側区画（２）の半径方向厚ｒｉは、前記外側管状区画（３）の半径方向厚ｒｅよりも小さいことを特徴とする、請求項１−１１のいずれか一項に記載の移植片。
【発明の詳細な説明】
【技術分野】
【０００１】
本発明は、ヒトまたは動物の患者の体内管路の外在長を囲繞および係合するための、腹壁を通した経皮的移植用の移植片に関する。移植片は、周縁外壁によって画定される外側管状区画であって、少なくともその一部が着脱式デバイスの搭載のための役割を果たす自由端を有する、腹壁から外側に突出するように適合される外側管状区画と、周縁内壁によって画定される内側区画であって、移植片の内部固定のために腹壁を通してかつ患者の中に延在するように適合される内側区画とを備える種類のものであり、外側管状区画と内側区画とは共通軸を有している。
【背景技術】
【０００２】
種々の疾患および造孔を伴う周知の外科的手技の詳細な議論は、本出願人所有の欧州特許出願第０４７７４７５．４号および国際特許出願ＰＣＴ／ＩＢ２００７／０５０６４６号（未発行）において見られる。
【０００３】
フランジを有する管状移植片は、特許文献１から周知である。本移植片は、永久閉鎖可能瘻孔として使用され、生体適合性の軟性メッシュ物質、例えば、ポリプロピレンの可撓性の柔軟な筒状体を含む。可撓性の筒状体は、外在腸の蠕動運動に応答して動くため、筒状体内に成長する組織の接続が、治癒過程の初期において非常に弱く、蠕動運動に耐えることができないという大きな危険性がある。脆弱な組織結合は、蠕動の際の筒状体の動きおよび物質の通過に応答して、破裂する場合がある。これは、早期治癒を妨害し、患者の回復を長引かせる。加えて、腸組織を可撓性メッシュに接着させるために必要とされる移植片の自由縁の周囲における腸の折重技術のために、感染性物質が外側皮膚表面に向かって直接誘導され、特に治癒の際に、刺激、炎症、および最後に記載するが非常に重要である、とりわけ、周囲皮膚表面上の糞便との細菌汚染の大きな危険性を誘発する。
【０００４】
本出願人所有の特許出願は、移植片の内側周縁の種々の部分に沿って剛性メッシュ手段を備える、移植片の種々の実施形態について記載する。これらの移植片は、多くの造孔患者に対して、特定の利点があることが証明されているが、一部の患者において、特に、移植片の外側表面と患者の腹部皮膚内のアクセス孔との間の接触部位において、制御不能な感染および炎症が生じることが分かっている。これに対する理由が、これらの周知の移植片の設計であり、外側リング区画が、例えば、接続部材によって内側区画内に直接併合することが認められている。本設計は、すなわち、移植片の外側表面に沿った糞便細菌に対して、微生物のアクセス経路または毛管作用体を提供する。また、この外側表面は、細菌に対して伝搬表面を提供する。
【先行技術文献】
【特許文献】
【０００５】
【特許文献１】米国特許第４，２１７，６６４号明細書
【発明の概要】
【課題を解決するための手段】
【０００６】
本発明による第１の側面では、体内管路の外在長の早期内部成長を可能にする、導入部に記載された種類の移植片が提供される。
【０００７】
本発明による第２の側面では、炎症、感染、および壊死の最小限の危険性を伴って移植可能な、導入部に記載された種類の移植片が提供される。
【０００８】
本発明に従って達成される新規かつ独特の特長は、外側管状区画の周縁外壁および内側区画の周縁内壁が、互いから間隔を空けて軸方向に離間するように配列され、外側管状区画および内側区画の対向する自由端の間に軸方向間隙を提供し、外側管状区画および内側区画が、間隔手段によって接続されるということである。
【０００９】
外科的移植手技の際に、アクセス孔は、腹壁を通して関連部位に生成される。移植片は、患者から突出する外側区画および体内に係留される内側区画によって腹部孔の中に配置される。
【００１０】
次いで、体内管路、例えば、結腸は、内側区画が、外在体内管路を慎重に囲繞、誘導、および支持するように、移植片の内径を通して外在化される。それによって、最外組織層、例えば、漿膜または体内管路の外壁の任意の他の露出層は、移植片の内面と接触係合し、組織の漸進的な内部成長、接続組織の生成、ならびに体壁、腸、および移植片の緊密な一体化を誘起する。移植片内の外在体内管路の位置は、最初に、一体化過程を支持するための縫合糸またはステント等、適切な機械的手段を使用して固着されてもよい。
【００１１】
皮膚の上皮細胞は、機械的損傷、有害な化学物質、侵入細菌、および水分の過剰損失から、下層組織を保護する。上皮細胞は、ほぼ細胞間空間がなく、小量の細胞間物質のみを伴って、緊密に密集する。皮膚上皮組織を含む上皮組織は、通常、上皮に対して構造的支持を提供し、また、近傍構造に結合させる薄層の接続組織（基底膜）によって、下層組織から分離される。皮膚上皮細胞および表皮細胞は、外在腸または他の体内管路のためのアクセス孔の外科的生成から生じる損傷に対応し、任意の露出された利用可能な近傍構造と再結合し、創傷部位、すなわち、アクセス孔の充填を試み、損傷を修復する。
【００１２】
しかしながら、移植片および皮膚上皮の外側表面は、微生物フローラ、他の汚染物、または異物によって汚染され、創傷部位の修復の際、体内に運ばれる場合、感染および／または炎症を誘発する可能性がある。
【００１３】
外側管状区画と内側区画との間の軸方向の間隙は、有利には、内側区画へと向かう皮膚上皮細胞繁殖経路を遮断するための役割を果たす。皮膚上皮細胞に付随する任意の汚染および感染性物質、または少なくとも移植片の外側管状区画の外面は、体内の内側区画と接触しないように防止される（接触によって、直接または治癒の際の被包によって、望ましくない対象物質の侵入を招く可能性がある）。離間された外側管状区画および内側区画は、移植片の移植区画における生物膜の形成を実質的または完全に防止することに寄与する。さらに、皮膚感染、皮膚または体内管路の壊死、移植片の拒否反応、ならびに皮膚刺激、発赤、および痒み等の患者にとって著しく不快な多くの他の副作用が、今まで知られている以上に回避される。
【００１４】
最も好ましい実施形態では、上述の有利な効果は、間隔手段が、剛性内部成長メッシュを備えるか、好ましくは、単に、剛性内部成長メッシュである場合に、さらに向上させられる場合がある。
【００１５】
剛性内部成長メッシュが、少なくとも、外側管状区画および内側管状区画を剛性関係で離間させ、その対向する自由端が互いに接触しないように互いに接続した状態で維持する役割を果たすように、剛性内部成長メッシュが、少なくとも、外側管状区画と内側区画との間の間隔の長さを有する管状体として成形されることが、さらに好ましい場合がある。
【００１６】
さらに、外側管状区画および内側区画のうちのいずれかは、少なくとも、外側管状区画、内側区画、または間隔手段の内部周縁のうちのいずれかの一部に沿って、少なくとも、体内管路壁の外側表面の内部成長のための剛性内部成長メッシュを備える。
【００１７】
周縁半径方向間隙は、有利には、間隔手段と外側管状区画および内側区画のうちのいずれかの内面との間に提供され、移植後の治癒の際に形成される任意の新しく造成された組織に対して、十分な空間を提供し得る（組織形成は、外在体内管路、例えば、腸の移植片および腹壁の両方への緊密な固着を生成するために必要とされる）。
【００１８】
新しい組織の造成は、自然治癒過程によって開始され、本実施形態では、外科的に切断および露出された腹壁は、腹壁から内側区画の周縁壁を通って貫通する新しい生成組織によって、体内に固着され得る。腹部アクセス孔に隣接する体内に位置する外在体内管路は、漿膜等の体内管路から生じる組織の内部成長によって、間隔手段、好ましくは、内部成長メッシュを通して、移植片に固着される。腹壁から生じる新しく生成された組織および体内管路から生じる新しく生成された組織は、体内の半径方向間隙内で接触および共成長し得るが、これは、移植片の完全固着のために必要とされるものではない。生成された新しい組織結合は、内側区画を完全に封入し、体内の移植片の非常に強固、安全、かつ信頼性のある組織係留をさらに促進するであろう。腹部皮膚から生じる新しい組織は、内部成長メッシュを通して造成することが不可能である、または非常に限定された程度でのみ造成可能である。その結果、内部成長メッシュは、体内管路から生じる新しい組織によって、内側区画は、腹壁から生じる組織によって、大部分が浸潤される。
【００１９】
内部成長メッシュおよび体内管路が、外側管状区画の自由端とほぼ平行に延在する実施形態では、内部成長メッシュの全部ではないにしても、大部分が、治癒の際、外在体内管路組織から生じる新しい組織によって浸潤される。したがって、新しい組織は、内部成長メッシュの全孔を通して生成され、外側管状区画および内側区画内に位置する内部成長メッシュの部分だけではなく、外側管状区画と内側区画との間に軸方向間隙内に延在する内部成長メッシュの部分にも浸潤してもよい。
【００２０】
外側管状区画の自由端における内側環状縁区画は、内部成長メッシュから遊離したままであるため、体内管路粘膜、漿膜等の新しい組織、または任意の他の種類の新しい組織は、本端部が、造孔バッグ等の着脱式デバイスの容易な搭載のために遊離したままとされるように、外側管状区画の自由端の周囲に繁殖しないように防止される。
【００２１】
外側管状区画の外面は、アクセス孔と接触せず、任意の新しい組織によって浸潤されないままである。上述のように、体内管路から生じる新しい組織は、外側管状区画内に挿入される内部成長メッシュに浸潤し、半径方向間隙の空間の一部を占有し得るが、皮膚からの細菌は、移植片の外側管状区画の突出部の閉鎖された外側表面のため、本間隙に侵入することは不可能である。
【００２２】
外側皮膚表面は、損傷組織ではなく、生体組織の破壊過程を誘発し得る病理学的汚染物、感染物、および異物に対する天然の障壁としての役割を果たす。特に、皮膚は、細菌に対する天然の障壁を構成する。内側区画を被包し、それによって、深部感染を生じさせる、細菌および他の微生物学的物質は、腹部皮膚表面を通過し、組織に到達することが不可能である。任意のそのような病理学的物質は、移植片の内面または体内管路の無傷内腔へと追いやられる。
【００２３】
代替実施形態では、間隔手段は、周縁間隙を提供するように配列される、周縁に離間した組み立て部材によって構成されてもよい。組み立て部材の好適な形状のために不可欠なこととして、肋材は、外側管状区画および内側区画の対向する自由端を、所定の永久的な好適な間隔で離間したままに維持する好適な長さを有していなければならない。また、組み立て部材は、半径方向間隙を提供するように成形されなければならい。そのような嵌合部材は、例えば、細長いＵ字型またはＬ字型の薄い肋材として成形されてもよく、ＵまたはＬの脚部の自由端は、それぞれ、外側管状区画および内側区画に固着され、半径方向の間隙間隔を提供し、Ｕの下部またはＬの直角は、軸方向の間隙間隔を提供する。
【００２４】
緊密な内部生物学的係留を得るために、内側区画は、有利には、体内に移植片を係留するための係留フランジ内に延在してもよく、係留フランジは、外側管状区画に対向する内側区画から半径方向に延在する。
【００２５】
内側区画および係留フランジのいずれかが、組織の浸潤および組織結合の生成を可能にするために、同一または異なる寸法、あるいは組み合わせの寸法の複数の貫通開口を備える場合に、組織内部成長が促進される。
【００２６】
剛性内部成長メッシュが、好ましくは、多角形断面の複数の通路、チャネル、または開口を有する場合に、内部成長手段の浸潤が促進されることが分かっている。複数の通路、チャネル、または開口が六角形断面であることが最も好ましい。
【００２７】
剛性内部成長メッシュの複数の通路、チャネル、または開口が、レーザ切断によって生成される場合、所与の任意の適切な寸法および形状であり得る。さらに、剛性内部成長メッシュの複数の通路、チャネル、または開口のレーザ切断縁が実質的に９０°であるように、レーザ光線を制御および指向することは非常に容易である。皮膚上皮細胞が角縁上を通過することは非常に困難であって、その結果、腹壁から生じる新しい組織の成長は制御され、実質的に、内側区画と、可能性として、係留フランジに制限され得ることが分かっている。結果として、四角のレーザ切断縁は、体内の皮膚上皮細胞成長を停止させる。
【００２８】
レーザ切断技術は、当業者には周知であって、さらなる説明は、とりわけ、上述の国際特許出願ＰＣＴ／ＩＢ２００７／０５０６４６号において見られる。
【００２９】
好ましい実施形態では、内側区画の半径方向厚は、外側管状区画の半径方向厚よりも小さい。本配列は、厚い外側管状区画を提供し、体内管路がアクセス開口の周縁から実質的に半径方向に離間した状態に維持する。さらに、本発明による移植片の移植部分の内側区画の厚さの減少および多くの貫通開口は、大量の異物移植片物質への身体の曝露を低減させる。
【００３０】
本発明による移植片は、一例として、添付の図面を参照して、以下に詳細に記載される。
【図面の簡単な説明】
【００３１】
【図１】図１は、本発明による移植片の第１の実施形態の斜視図を示す。
【図２】図２は、図１の線ＩＩ−ＩＩに沿った断面図を示す。
【図３】図３は、本発明による移植片の第２の実施形態の斜視図を示す。
【図４】図４は、図３の線ＩＩＩ−ＩＩＩに沿った断面図を示す。
【発明を実施するための形態】
【００３２】
本発明は、体内管路が腸である造孔内での使用に対して、以下で説明される。当業者は、本発明による移植片が、血管が瘻孔の生成のために外在化される他の身体アクセス外科手技においても使用可能であることを理解するであろう。
【００３３】
図１および２は、約９０°の角度αで係留フランジ４内へと半径方向に延在する、内側区画３から離間するように配列される外側管状区画２から成る、実質的に管状の移植片１の第１の実施形態を示す。外側管状区画２は、造孔バッグ等の着脱式デバイスの搭載のための環状の搭載溝６を備える自由端５を有する。外側管状区画の自由端５は、係留フランジ４に対向する内側区画３の自由端８に向かって面する、反対側の自由端７を有する。
【００３４】
外側管状区画２と内側区画３との間の離間した関係は、外側管状区画２の反対側の自由端７と内側区画３の自由端８とによって区切られる、開放間隙９を提供する。
【００３５】
外側管状区画２および内側区画３は、複数のレーザ切断された六角形の貫通開口１１を有する剛性の内部成長メッシュ１０によって、互いに接続した状態に維持される。
【００３６】
係留フランジ４は、３つの同心円状のリングから成り、第１のリング１２は、内側リング３の自由端８の反対側の内側区画３から延在する。第１のリングは、可撓性であってもそうでなくてもよい、接続部材１４ａ、１４ｂ、１４ｃによって、同心円状の第２のリング１３に接続される。接続部材１４ａ、１４ｂ、１４ｃは、オフセットされた点において同心円状のリング１２、１３に接続する。フランジ４は、全体としてわずかに円錐形状を有し、すなわち、第２のリングは、内側区画から離れる方向に第１のリングから軸方向にオフセットされる。また、フランジは、体内の移植片を付加的に固着するための複数の貫通開口１５を有する。図１および２に示される係留フランジ４の特殊設計は、本出願人所有の国際特許出願ＰＣＴ／ＩＢ２００７／０５０６４６号にさらに詳細に記載される。係留フランジの他の実施形態は、本発明の範囲内で使用可能であって、本願の図面に示されるフランジは、限定として捉えられるべきではない。
【００３７】
外側管状区画２と内側区画３との間の軸方向間隙９は、体内への感染および炎症の経路を閉鎖する役割を果たすものであって、図２の断面図においてさらに明確に見られる。また、図２は、移植片１が、外側管状区画２の内面１７と剛性内部成長メッシュ１０の外面１８との間、および内側区画３の内面１９と剛性内部成長メッシュ１０の外面１８との間に半径方向間隙１６を有する態様を示す。半径方向間隙１５は新しい組織を収容する役割を果たし、新しい組織は、体内に移植される内側区画３における腸組織と腹壁組織との間の組織結合のために、貫通開口１１を通って剛性内部成長メッシュ１０に浸潤する。
【００３８】
図３に示される移植片２０の第２の実施形態は、図１および２に示される第１の実施形態１に実質的に対応しており、類似部分に対して同一の参照番号が使用される。
【００３９】
移植片２０は、異なる間隔手段を実装する点においてのみ、移植片１と異なる。剛性内部成長メッシュ１０の代わりに、３つの周縁の離間した剛性組み立て部材２１が間隔手段として使用される。任意の他の好適な数の組み立て部材が、選択されてもよい。
【００４０】
図４の断面図から最も良く分かるように、組み立て部材は、Ｕ字屈曲またはＬ字屈曲のブラケット２１として成形されてもよい。ある２つのブラケットが、図４に見られる。Ｌ字ブラケット２１の一端２２は、外側区画３の内面１７に固着され、Ｌ字屈曲ブラケット２１の他の屈曲端２３は、内側区画２の内面１９に固着される。このような態様で、必要とされる半径方向間隙１６が得られる。
【００４１】
また、移植片２０は、外側管状区画２の自由端７と内側管状区画３の自由端８との間に軸方向間隙１８を有する。本実施形態は、非常に開放的であり、異物移植物質に高感受性を示す患者に対して、特に好適である。
【００４２】
内側区画３は、例えば、２つの同心円状のリングとして成形されてもよく、第１のリング３ａは外側区画２に面し、第２のリング３ｂは係留フランジ４の中へと延在して面する。同心円状のリング３ａおよび３ｂは、例えば、複数の周縁肋材３ｃ、横棒、あるいは任意の他の適切な剛性格子または網によって、軸方向に相互接続されてもよい。
【００４３】
とりわけ、係留フランジ、搭載溝、および内部成長メッシュの設計は、添付の請求項の範囲内において変更してもよい。また、軸方向間隙の長さは、個々の必要性に適合されてもよく、半径方向間隙は、解剖学的状態に従って調節されてもよい。内側区画および係留フランジの好適な設計の実施例は、ＰＣＴ／ＩＢ２００７／０５０６４６号において与えられる。
【００４４】
移植片は、任意の好適な生物学的に受容可能な物質、好ましくは、レーザ切断可能な物質から製造されてもよい。
【図１】
2010536448.tif 000003
【図２】
2010536448.tif 000004
【図３】
2010536448.tif 000005
【図４】
2010536448.tif 000006
【国際調査報告】
2010536448.tif 000007
2010536448.tif 000008